(57)【要約】【課題】首または肩から掛けたストラップによってポータブルコンピュータが体の前側に提げた状態で使用できるようにするものであって、使用可能なコンピュータの大きさの制限をしない、ポータブルコンピュータ携行台装置を提供する。【解決手段】ポータブルコンピュータ携行台装置Ｔは、パソコンを載せる載置台板１と、載置台板１に載せたパソコンを固定する緊締具２と、キーボードに緊締具２が当たらないようにするスペーサ３と、載置台板１を吊り提げるストラップ４を備えている。載置台板１は、表面が平面な板状体１０を備えて構成してある。緊締具２は、一端側を載置台板１のネジ孔１００に裏面側から取り付け、紐状体２０を表面側に掛け回して、他端側を載置台板１の裏面に係合して取り付けられる。スペーサ３は緊締具２の紐状体２０を通して、長さ方向に移動可能に取り付けてある。【選択図】        図１
2004326267.tif 000002
【特許請求の範囲】
【請求項１】
首または肩から掛けたストラップによってポータブルコンピュータが体の前側に提げた状態で使用できるようにする、ポータブルコンピュータ携行台装置であって、
上面にポータブルコンピュータが載置可能な板状体で形成してある載置台板と、
ポータブルコンピュータを載置台板に載せた状態で固定する固定手段と、
を備えたことを特徴とする、
ポータブルコンピュータ携行台装置。
【請求項２】
首または肩から掛けたストラップによってポータブルコンピュータが体の前側に提げた状態で使用できるようにする、ポータブルコンピュータ携行台装置であって、
上面にポータブルコンピュータが載置可能な板状体で形成してある載置台板と、
ポータブルコンピュータを載置台板に載せた状態で緊締することにより固定する固定手段と、
を備えており、
固定手段は載置台板の上面側に掛け回して、両端側が載置台板に取り付けられるよう構成してあることを特徴とする、
ポータブルコンピュータ携行台装置。
【請求項３】
固定手段は固定位置の調整ができるよう構成してあることを特徴とする、
請求項１または２記載のポータブルコンピュータ携行台装置。
【請求項４】
固定手段のキーボードへの接触を防止するスペーサを備えたことを特徴とする、
請求項１，２または３記載のポータブルコンピュータ携行台装置。
【請求項５】
ポータブルコンピュータから突出したケーブルの連結部を覆って保護する保護手段を備えることを特徴とする、
請求項１，２，３または４記載のポータブルコンピュータ携行台装置。
【請求項６】
ポータブルコンピュータが使用者の体から所要の距離の位置に離れて設けられるようにする手段を備えることを特徴とする、
請求項１，２，３，４または５記載のポータブルコンピュータ携行台装置。
【発明の詳細な説明】
【０００１】
【発明の属する技術分野】
本発明はポータブルコンピュータ携行台装置に関する。
更に詳しくは、首または肩から掛けたストラップによってポータブルコンピュータが体の前側に提げた状態で使用できるようにするものであって、台に載る範囲内で、使用可能なコンピュータの大きさの制限をしないようにしたものに関する。また、ポータブルコンピュータを固定したままで、コンピュータの側部に接続するケーブル等を抜き挿しできるようにしたものに関する。
【０００２】
【従来の技術】
例えば、発電所や事業所等では、場内の照度等の作業環境に関するデータの採取作業が定期的に行われている。この作業は、作業者が測定場所に赴き、計測器にノート型やラップトップ型のパーソナルコンピュータ（以下、単に「パソコン」と記載する）を接続して行っている。
【０００３】
この作業におけるパソコンは、例えば、実開平５−７６３２１号に開示してあるような鞄に収容されて持ち歩かれ、ストラップを首や肩に掛けて鞄を台にした状態で使用される。
【０００４】
【特許文献１】
実開平５−７６３２１号公報
【０００５】
【発明が解決しようとする課題】
しかし、上記公報記載の鞄には、次のような課題があった。
上記した鞄は、パソコンを収容する収容部が側壁で囲まれて形成されていたので、収容部より大きなパソコンは入らず、しかも、丁度良い大きさのもの以外は固定し難かった。
【０００６】
また、パソコンには計測器からのデータを取り込むためのケーブルが、側部に挿し込んで接続される。しかし、上記した鞄では収容部が側壁で囲まれて形成されていたので、パソコンにケーブルを抜き挿しするためには、一旦、パソコンを鞄から取り出さなければならず面倒であった。
【０００７】
更に、収容部を形成する側壁は、パソコンを内部に収容するため少なくともパソコンの厚み相当の高さを有するよう形成されている。そのためキーボード等を操作する際には、手が前側の側壁に当たり易く、操作性が悪いという課題もあった。
【０００８】
上記した鞄は、公報記載のラップトップ型のパソコンであれば、収容して持ち運ぶことができる。
しかし、パソコンの進化は速く、近年のポータブル型のパソコンは、外観形状やキーボードの位置等が公報記載のパソコンとは随分と異なる。詳しくは、ディスプレイが後縁部側に設けられたヒンジ部によって繋いであり、キーボードついてはヒンジ部側に寄せて配置されている。このようなパソコンを上記した鞄に固定しようとした場合では、固定のためのベルトがキーボードを押さえてしまう。つまり、上記した鞄は近年のパソコンには使えなかった。
【０００９】
ところで近年の特にノート型のパソコンは、大きさがＡ４サイズとＢ５サイズに大別されている。更にいえば上記した区分のパソコンにおいても製造メーカーによって大きさが若干異なっている。つまり、ノート型のパソコンの大きさも一定でない。従って、例えば、上記したようなデータ採取作業等において、首や肩から掛けたストラップによって上記したパソコンが体の前側に提げた状態で使用できるようにする台は、パソコンの大きさが多少異なるものでも固定できるようにすることが望まれる。
【００１０】
（本発明の目的）
本発明の目的は、首または肩から掛けたストラップによってポータブルコンピュータが体の前側に提げた状態で使用できるようにするものであって、台に載る範囲内で、使用可能なコンピュータの大きさの制限をしないようにする、ポータブルコンピュータ携行台装置を提供することにある。
【００１１】
本発明の他の目的は、ポータブルコンピュータを固定したままで、コンピュータの側部に接続するケーブル等を抜き挿し可能なポータブルコンピュータ携行台装置を提供することにある。
【００１２】
本発明の他の目的は、固定したパソコンの操作性を損なわないポータブルコンピュータ携行台装置を提供することにある。
【００１３】
本発明の他の目的は、大きさが異なるものでも、キーボード等の位置が多少異なるものであっても固定できるようにする、ポータブルコンピュータ携行台装置を提供することにある。
【００１４】
本発明の他の目的は、コンピュータから突出したケーブルの連結部が覆って保護できる、ポータブルコンピュータ携行台装置を提供することにある。
【００１５】
本発明の他の目的は、ポータブルコンピュータ携行台装置の軽量化を図ることにある。
【００１６】
【課題を解決するための手段】
上記目的を達成するために講じた本発明の手段は次のとおりである。
第１の発明にあっては、
首または肩から掛けたストラップによってポータブルコンピュータが体の前側に提げた状態で使用できるようにする、ポータブルコンピュータ携行台装置であって、
上面にポータブルコンピュータが載置可能な板状体で形成してある載置台板と、
ポータブルコンピュータを載置台板に載せた状態で固定する固定手段と、
を備えたことを特徴とする、
ポータブルコンピュータ携行台装置である。
【００１７】
第２の発明にあっては、
首または肩から掛けたストラップによってポータブルコンピュータが体の前側に提げた状態で使用できるようにする、ポータブルコンピュータ携行台装置であって、
上面にポータブルコンピュータが載置可能な板状体で形成してある載置台板と、
ポータブルコンピュータを載置台板に載せた状態で緊締することにより固定する固定手段と、
を備えており、
固定手段は載置台板の上面側に掛け回して、両端側が載置台板に取り付けられるよう構成してあることを特徴とする、
ポータブルコンピュータ携行台装置である。
【００１８】
第３の発明にあっては、
固定手段は固定位置の調整ができるよう構成してあることを特徴とする、
第１または第２の発明に係るポータブルコンピュータ携行台装置である。
【００１９】
第４の発明にあっては、
固定手段のキーボードへの接触を防止するスペーサを備えたことを特徴とする、
第１，第２または第３の発明に係るポータブルコンピュータ携行台装置である。
【００２０】
第５の発明にあっては、
ポータブルコンピュータから突出したケーブルの連結部を覆って保護する保護手段を備えることを特徴とする、
第１，第２，第３または第４の発明に係るポータブルコンピュータ携行台装置である。
【００２１】
第６の発明にあっては、
ポータブルコンピュータが使用者の体から所要の距離の位置に離れて設けられるようにする手段を備えることを特徴とする、
第１，第２，第３，第４または第５の発明に係るポータブルコンピュータ携行台装置である。
【００２２】
本発明にいう「ポータブルコンピュータ」としては、例えば、ノート型（サブノート型も含む）、タブレット型、ラップトップ型、パームトップ型（ＰＤＡ（Ｐｅｒｓｏｎａｌ  Ｄｉｇｉｔａｌ（Ｄａｔａ）  Ａｓｓｉｓｔａｎｔｓ）を含む）のコンピュータ等、可搬性を有するものを挙げることができる。
【００２３】
ストラップは、例えば、ひも状や帯状のものが使用できる。
【００２４】
本発明に係るポータブルコンピュータ携行台装置は、上記公報記載のパソコンも取り付け可能である。
【００２５】
本発明に係るポータブルコンピュータ携行台装置は、鞄に入れて持ち運ぶことが可能である。また、ポータブルコンピュータ携行台装置は、鞄から出して使うこともできるし、出さずに鞄を開いた状態で使うこともできる。
【００２６】
（作  用）
ポータブルコンピュータは、載置台板の上面に載せて固定手段を用いることにより、本発明に係るポータブルコンピュータ携行台装置に固定される。
また、固定手段が緊締することにより固定できるよう構成してあるものは、固定手段を載置台板の表面側に掛け回して、両端側が載置台板に取り付けられることで固定される。
【００２７】
本発明に係るポータブルコンピュータ携行台装置によれば、載置台板が上面にポータブルコンピュータが載置可能な板状体で形成してあるので、載置台板に載る範囲内で、載せるコンピュータの大きさが制限されない。従って、例えば、載置台板よりやや大きいものでも載せることができる。
【００２８】
ポータブルコンピュータは、板状体で形成してある載置台板の上面に載せて、側部が覆われない状態で固定されるので、例えば、計測器等のデータを取り込むケーブル等が固定してままで抜き挿し可能である。つまり、本発明に係るポータブルコンピュータ携行台装置は、ケーブル等の挿し抜きが簡単であり面倒がない。
【００２９】
また、ポータブルコンピュータの側部を覆うものがないので、キーボード等の操作時に手が当たるような箇所もなく、本発明に係るポータブルコンピュータ携行台装置に固定しても操作性は損なわれない。
【００３０】
固定手段の固定位置の調整ができるよう構成してあるものは、大きさが異なるものでも、キーボード等の位置が多少異なるものであっても固定することができる。
【００３１】
固定手段のキーボードへの接触を防止するスペーサを備えたものは、キーボードに影響を与えることなく、ポータブルコンピュータが本発明に係るポータブルコンピュータ携行台装置に固定できる。
【００３２】
ポータブルコンピュータから突出したケーブルの連結部を覆って保護する保護手段を備えるものは、保護手段によりケーブルの連結部が突起物とならないようにでき、これにより連結部の破損防止を図ることができる。
【００３３】
ポータブルコンピュータが使用者の体から所要の距離の位置に離れて設けられるようにする手段を備えるものは、ポータブルコンピュータを使用者の体から所要の距離の位置に離れて設けることができる。これによりキーボード等の操作が若干腕を伸ばしてでき、入力がし易くなる。
【００３４】
【発明の実施の形態】
本発明の実施の形態を図面に基づき更に詳細に説明する。
図１は本発明に係るポータブルコンピュータ携行台装置の一実施の形態を表面側から見た状態を示す斜視説明図、
図２は図１に示すポータブルコンピュータ携行台装置を裏面側から見た状態を示す要部斜視説明図である。
【００３５】
ポータブルコンピュータ携行台装置Ｔは、ノート型のパソコンを載せる合成樹脂製の載置台板１と、パソコンを載置台板１に載せた状態で固定する固定手段である緊締具２，２と、載置台板１に載せたパソコンのキーボードに緊締具２，２が当たらないようにするスペーサ３・・・と、載置台板１を吊り提げるストラップ４を備えている。
【００３６】
載置台板１は、略Ａ４サイズを有する長方形状の板状体１０を備えて構成してある。板状体１０は、表面が平面状に形成してあり、一方の長辺側の縁部には、載せたパソコンが前側（手前側、体側）に滑り落ちないように止めるストッパー１１が全長にわたって垂設してある。また、他方の長辺側の中央部には、後側（体と反対側）に滑り落ちないように止めるストッパー１２が垂設してある。
【００３７】
板状体１０の一方の短辺側には、表面から裏面に貫通したネジ孔１００・・・が、前後（幅）方向に所要間隔を設けて四箇所に形成してある。
また、他方の短辺側の裏面には、所要幅を有する面ファスナーの一方の構成体１０１が前後方向に向けて貼り付けてある。
【００３８】
載置台板１は合成樹脂で形成したものを使用したが、これは限定するものではなく、例えば、金属、木、これらの複合物等で形成できる。
また、載置台板１を構成する板状体１０の大きさも、パソコンを載せることができれば、特に限定するものではないが、Ａ４サイズとＢ５サイズの両方のものを載せる場合では、Ａ４サイズ相当の大きさに設定することが好ましい。
【００３９】
ストッパー１１，１２は載せたパソコンが滑り落ちないようにできれば、構造は特に限定するものではない。例えば、複数の突起状物を縁部から垂設したものを使用することもできる。また、ストッパー１１，１２を設ける位置も特に限定するものではない。更に、ストッパー１１，１２の表面には、パソコンの筐体を傷つけ難いゴム等の緩衝材を設けることもできる。なお、ストッパー１１，１２は、上記した緊締具２，２による固定が十分であれば設けなくても良い。
【００４０】
緊締具２，２は、載置台板１の前後方向に所要間隔を設けて二箇所に設けてある。詳しくは、載置台板１にパソコンを載せた場合において、パソコンのヒンジ部近傍と、キーボードを挟んだ反対側に位置にするよう設けてある（図３，図４参考）。
【００４１】
各緊締具２は、所要の長さを有するゴム状弾性体で形成された紐状体２０を備えている。紐状体２０の一端側には、載置台板１に固定するための固定ネジ２１が設けてある。また、他端側には、載置台板１の裏面に設けた面ファスナーと係合する他方の構成体２２が設けてある。
【００４２】
各緊締具２は、載置台板１の所要のネジ孔１００に裏面側から固定ネジ２１をねじ込み、紐状体２０を表面側に掛け回して、面ファスナーの他方の構成体２２を載置台板１の裏面に設けた一方の構成体１０１に係合して取り付けられる。なお、固定ネジ２１をねじ込むネジ孔１００は、載せるパソコンの大きさ等によって固定に最も適当と思われる箇所のものが使用され、これにより固定位置が調整される。
【００４３】
緊締具２を構成する紐状体２０は、弾性または伸縮性を有するゴム状弾性体（代表的な具体例としてゴム紐がある）で形成したものを使用したが、紐状体の材料は特に限定するものではなく、また、弾性または伸縮性を備えないものを使用することもできる。例えば、合成樹脂、金属、これらの複合物等で形成可能である。更に緊締具は、紐状体に代えて帯状体を使用することもできる。紐状体または帯状体は繊維を織成して形成したものを使用することもできる。
【００４４】
また、緊締具２の一端側は、固定ネジ２１を載置台板１のネジ孔１００にねじ込んで固定したが、これは限定するものではなく、例えば、載置台板の裏面に前後方向に延びるレール部や溝部を設けて、緊締具の一端側をスライド可能に取り付けた構造にすることもできる。このレール部や溝部を使用する場合では、緊締具の固定位置が載置台板の前後方向に無段階に調整可能なので、より柔軟に固定箇所を決めることができる。
【００４５】
各スペーサ３は、パソコンの筐体側部の角部に載せることができるように、段部３０を備えた断面略「Ｌ」型状に形成してある。スペーサ３は、所要幅を有しており、パソコンの筐体に載せたときに上部側がキーボードの上面より突出するよう形成してある。この突出した上部側には、紐状体２０が挿通可能な貫通孔３００が形成してある。スペーサ３は軟質の合成樹脂で形成してある。
【００４６】
スペーサ３は、貫通孔３００に緊締具２の紐状体２０を通して、この紐状体２０の長さ方向に移動可能に取り付けてある。スペーサ３は各緊締具２につき二箇所に設けてある。
【００４７】
スペーサ３は軟質の合成樹脂で形成したものを使用したが、材料は特に限定するものではなく、例えば、硬質の合成樹脂、金属、木、ゴム、これらの複合物等が使用可能である。しかし、パソコンの筐体を傷つけ難い材料が好ましい。
また、スペーサ３の形状も特に限定するものではなく、載置台板１に載せたパソコンのキーボードに緊締具２が当たらないようにできれば良く、例えば、紐状体が挿通する貫通孔を設けず、紐状体が上面上に載るような形状にすることもできる。この場合、スペーサは緊締具（紐状体）から分離可能にすることもできる。
【００４８】
ストラップ４は、二本の吊りベルト４０，４０と、両方の吊りベルト４０，４０を繋ぐ連結ベルト４１を備えている。吊りベルト４０と連結ベルト４１は、共に合成樹脂繊維を織成して形成してある。
【００４９】
各吊りベルト４０は、所要の長さを有する帯状体であり、一端側を載置台板１の短辺側を形成する前側の角部近傍に取り付け、他端側を同じ短辺側を形成する後側の角部近傍に取り付けることで、それぞれに載置台板１との間に輪部（図１で示す矢印Ｂの部分）が形成されるようしてある。詳しくは、各吊りベルト４０は、固定ネジ４００を載置台板１の裏面にねじ込んで取り付けてある。また、各吊りベルト４０は、長さの異なるベルト体４０１とベルト体４０２とを連結具４０３で連結して、長さの調整が可能なよう構成してある。
【００５０】
また、連結ベルト４１も所要の長さを有する帯状体であり、吊りベルト４０，４０によって形成された輪部（図１で示す矢印Ｂの部分）を通し、両端を繋いで無端状に形成することで、両方の吊りベルト４０，４０を繋ぐよう取り付けてある。
【００５１】
ストラップ４を構成する吊りベルト４０，４０と連結ベルト４１は、共に合成樹脂繊維を織成して形成したものを使用したが、材料は特に限定するものではない。強度上支障がなければ、例えば、金属、ゴム、これらの複合物等が使用可能である。また、繊維を織成したものでも、織成していないものでも使用できる。更に、構造に関しても、所要の長さを有しており、首や肩に掛けて載置台板１を提げることができれば、二本の吊りベルトと連結ベルトを組み合わせたものに限定するものではなく、各種の公知技術のものが使用可能である。
【００５２】
図３はポータブルコンピュータ携行台装置にＡ４サイズのパソコンを取り付けた状態を示す斜視説明図、
図４はポータブルコンピュータ携行台装置にＢ５サイズのパソコンを取り付けた状態を示す斜視説明図である。
なお、図３において想像線で示すものは、パソコン９が使用者の体から所要の距離の位置に離れて設けられるようにするスペーサ６である。スペーサ６については後で記載するので、ここでは説明は省略する。
【００５３】
ここで簡単にポータブルコンピュータ携行台装置Ｔに取り付けるパソコンの構成を説明する。
符号９はＡ４サイズのノート型のパソコンを示しており、符号９ａはＢ５サイズのノート型のパソコンを示している。いずれのパソコン９，９ａとも、キーボード９１，９１ａを有し、その後縁部側に設けられたヒンジ部９２，９２ａによってディスプレイ９０，９０ａが繋がれた構成を有している。
また、パソコン９，９ａの側部にはＵＳＢ（Ｕｎｉｖｅｒｓａｌ  Ｓｅｒｉａｌ  Ｂｕｓ）ケーブル９４（図５参考）を繋ぐためのＵＳＢポート９３，９３ａが設けてある。ＵＳＢポート９３，９３ａにはＵＳＢケーブル９４の連結部９４０（図５参考）が挿し込み可能である。
【００５４】
（作  用）
図１ないし図４を参照して、本実施の形態で示すポータブルコンピュータ携行台装置Ｔに、パソコン９やパソコン９ａを取り付ける手順及びその作用を説明する。
【００５５】
まず、緊締具２，２の他端側が載置台板１の裏面と係合状態であれば、各面ファスナーを構成する構成体１０１，２２の係合状態を解除して、緊締具２，２の他端側を開放しておく。
また、各緊締具２の一端側は、載せるパソコン９（９ａ）の大きさ等によって固定に最も適当と思われるネジ孔１００に、固定ネジ２１をねじ込んで載置台板１に取り付けておく。
【００５６】
載置台板１上にパソコン９（９ａ）を載せる。パソコン９（９ａ）は前側の側部がストッパー１１に当たるように載せる。
パソコン９（９ａ）のディスプレイ９０（９０ａ）を開く。
【００５７】
パソコン９（９ａ）のディスプレイ９０（９０ａ）を開いた状態で、紐状体２０，２０がキーボード９１（９１ａ）の上方に配置されるよう緊締具２，２を掛け回す。そして、スペーサ３・・・を対応するパソコン９（９ａ）の筐体側部の角部に載せる。各スペーサ３は、段部３０をパソコン９（９ａ）のヒンジ部９２（９２ａ）側と、キーボードを挟んだ反対側に載せる。スペーサ３・・・は、取り付けるパソコンの大きさによって、具体的にはパソコン９やパソコン９ａによって、紐状体２０，２０の長さ方向に移動させて位置が調整される。
【００５８】
緊締具２，２を引っ張って紐状体２０，２０を伸ばし、所要の張力がかかった状態で他端側の構成体２２，２２を載置台板１の裏面側の構成体１０１と係合させる。これにより紐状体２０，２０は、ディスプレイ９０（９０ａ）を開いたパソコン９（９ａ）のヒンジ部９２（９２ａ）側と、キーボード９１（９１ａ）を挟んだ反対側の二箇所に架設される。このとき紐状体２０，２０は、キーボード９１（９１ａ）の上面より突出した位置に設けられた各スペーサ３の貫通孔３００を通してあるので、キーボード９１（９１ａ）とは当たらない。
こうしてパソコン９（９ａ）は、紐状体２０，２の張力が作用させるスペーサ３・・・の押圧力によって載置台板１に固定して取り付けられる。
【００５９】
このようにポータブルコンピュータ携行台装置Ｔによれば、スペーサ３・・・が紐状体２０，２０に沿って移動でき、更に、紐状体２０，２０が固定ネジ２１をねじ込むネジ孔１００の位置を変えて載置台板１の前後方向に移動できるので、パソコンを押さえる位置が調整できる。従って、ポータブルコンピュータ携行台装置Ｔは、大きさが異なるパソコン９やパソコン９ａであっても、緊締具２，２がキーボード９１（９１ａ）に当たらずに固定できる。つまり、ポータブルコンピュータ携行台装置Ｔは、大きさが異なるものでも、キーボード等の位置が多少異なるものでも、緊締具２，２をキーボード９１（９１ａ）に当てることなく固定できる。
【００６０】
本実施の形態ではスペーサ３・・・をパソコン９（９ａ）の筐体側部の角部に載せ、紐状体２０，２０の張力が作用させるスペーサ３・・・の押圧力によってパソコン９（９ａ）を固定するようにしたが、これは限定するものではない。例えば、スペーサをパソコンの筐体側部の角部に載せずとも、紐状体がキーボードに当たらないように掛け回すことができれば、スペーサを設けずに、紐状体自体の張力による押圧力によってパソコンを固定することもできる。紐状体がキーボードに当たらないように掛け回すことができる箇所としては、例えば、キーとキーの間や、キーボードの操作時に手首の付け根が載るパームレスト部等を挙げることができる。紐状体をこのようにして掛け回した場合では、紐状体が筐体の表面と接触するので、紐状体が邪魔になり難くキーボードが操作し易くなる。また、紐状体はパソコンの筐体と滑り難いよう形成することもできる。
【００６１】
また、ポータブルコンピュータ携行台装置Ｔによれば、パソコンを載せる載置台板１が板状体１０で構成してあり、板状体１０の表面が平面状に形成してあるので、載せるパソコンの大きさを制限するようなものがない。従って、例えば、載置台板１よりやや大きいものでも載せることができる。この場合でもパソコンは緊締具を掛け回して固定できる。
【００６２】
更に、ポータブルコンピュータ携行台装置Ｔに固定したパソコン９（９ａ）は、側部が覆われず、ＵＳＢポート９３，９３ａが露出した状態となる。従って、計測器等のデータを取り込むＵＳＢケーブル９４は、パソコン９（９ａ）を固定したままで連結部９４０が抜き挿し可能である。つまり、ポータブルコンピュータ携行台装置Ｔは、ＵＳＢケーブル９４の挿し抜きが簡単であり面倒がない。
【００６３】
同様に、固定したパソコン９（９ａ）の側部が覆われず、キーボード等の操作時に手が当たるような箇所がないので、ポータブルコンピュータ携行台装置Ｔに固定しても操作性は損なわれない。
【００６４】
本実施の形態ではポータブルコンピュータ携行台装置Ｔに固定したパソコンに接続可能なケーブルとして、ＵＳＢケーブルを具体例に挙げて説明したが、これは限定するものではない。パソコンの側部に設けてある各種接続口に接続可能であれば良く、例えば、シリアルケーブル、パラレルケーブル、ＩＥＥＥ１３９４ケーブル、ＳＣＳＩ（Ｓｍａｌｌ  Ｃｏｍｐｕｔｅｒ  Ｓｙｓｔｅｍ  Ｉｎｔｅｒｆａｃｅ  ）ケーブル、ＬＡＮ（Ｌｏｃａｌ  Ａｒｅａ  Ｎｅｔｗｏｒｋ  ）ケーブル（ツイストペアケーブル、イーサネット（登録商標）ケーブル）、同軸ケーブル、モジュラーケーブル、光ファイバケーブル、ディスプレイケーブル、ＰＳ／２ケーブル等が使用できる。
【００６５】
ポータブルコンピュータ携行台装置Ｔは、通常、次のようにして装着される。
まず、ストラップ４を構成する吊りベルト４０，４０と連結ベルト４１とで囲まれた間（図１で示す矢印Ａの部分）に首を入れる。次に、吊りベルト４０，４０が形成する輪部（図１で示す矢印Ｂの部分）に腕を内側から入れる。こうして連結ベルト４１を首の後ろの背中側に配置して、吊りベルト４０，４０をそれぞれの肩に掛けた状態にする。
【００６６】
ポータブルコンピュータ携行台装置Ｔは、吊りベルト４０，４０によって載置台板１の四隅を吊っているので、従来のものよりも載置台板１を安定した状態で提げることができ、パソコンを落下させる危険性が少ない。
従来の公報に記載の鞄は、左右両側壁の後側間に架け渡したストラップを首や肩に掛け、前側の側壁を体に当てて、鞄自体をパソコンを載せる台にして使用していた。つまり、前側を吊るようになっていなかったので、体に当てた部分が何かの拍子で滑り落ちることがあった。また、このときの衝撃でパソコンを固定していたベルトが外れることも考えられ、落下によりパソコンを破損させる可能性もある。
【００６７】
また、ポータブルコンピュータ携行台装置Ｔは、吊りベルト４０，４０をそれぞれの肩に掛けて使用した場合では、吊りベルト４０，４０をスライドさせて、提げた載置台板１の体の前側に対する傾斜角度を簡単に変えることができる。これにより例えば、ディスプレイ９０（９０ａ）の角度を調整して見易くしたりできる。
更に、吊りベルト４０，４０は連結ベルト４１で繋がれているので、吊りベルト４０，４０が肩から不意に外れてしまうという心配も少ない。
【００６８】
ポータブルコンピュータ携行台装置Ｔは、パソコン９（９ａ）を載せる板状の載置台板１と、載せたパソコン９（９ａ）を固定する緊締具２，２と、スペーサ３・・・とストラップ４とで構成されているので、従来のものより部品数が少なく、これにより軽量化を図ることができる。
【００６９】
ところでパソコン９（９ａ）の側部にＵＳＢケーブル９４を挿し込んだ場合には、連結部９４０がポータブルコンピュータ携行台装置Ｔより突出した状態となることがある。特にＡ４サイズのパソコン９に取り付けた場合では顕著である。突出した連結部９４０は突起物となるため衝突し易い。
このような場合には、図５に示すような保護部材５を設けることができる。
図５はケーブルの連結部を保護する保護部材を示す拡大斜視説明図である。
【００７０】
保護部材５は、載置台板１の縁部に嵌る嵌合部５０と、突出した状態の連結部９４０を内方に収容する保護収容部５１を備えて構成してある。嵌合部５０は、載置台板１の表面側に設けられる部分よりも裏面側に設けられる部分の方が、長さが長く形成してある。嵌合部５０と保護収容部５１は、合成樹脂により一体に成形されている。
【００７１】
保護部材５は、載置台板１の側方より、縁部が嵌合部５０内に収容されるように嵌めて取り付けられる。保護部材５は、パソコン９の側部に設けられたＵＳＢポート９３，９３ａと対応する位置に取り付けられる。ＵＳＢケーブル９４は、取り付けた保護部材５の保護収容部５１を通して、連結部９４０をＵＳＢポート９３，９３ａに挿し込んで接続される。
【００７２】
保護部材５の保護収容部５１を通してＵＳＢケーブル９４を接続することにより、連結部９４０が保護収容部５１内に収容され、突出した状態でなくなる。これにより連結部９４０は突起物とならず、連結部９４０の破損防止を図ることができる。
【００７３】
保護部材５は、載置台板１の縁部を嵌合部５０に嵌めるだけで取り付けられるので、載置台板１の周縁部のどの位置にでも取り付けることができる。
通常、パソコンに設けられる各種ケーブルの接続口の位置は、製造メーカーによって異なっており一定していない。つまり、載置台板１に取り付けられる保護部材５は、各種製造メーカーのパソコンに対応できる。
【００７４】
本実施の形態で保護部材５が保護するケーブルとして、ＵＳＢケーブルを具体例に挙げて説明したが、これは保護部材が保護可能なケーブルを限定するものではなく、上記に例示した各種ケーブルの接続部が保護可能である。
【００７５】
更に、上記実施の形態で示すものには備えなかったが、ポータブルコンピュータ携行台装置には、図６に示すようなスペーサ６を設けることもできる。
図６はスペーサを載置台板より引き出した状態を示す使用状態平面視説明図である。
スペーサ６は、パソコン９が使用者７の体から所要の距離の位置に離れて設けられるようにするものである（図３の想像線参照）。
【００７６】
スペーサ６は、載置台板１の前後方向にスライド可能に設けてある板状のスライド部６０と、スライド部６０の前側に設けてあり、使用者７の体と当たる当接部６１を備えて構成してある。
【００７７】
スペーサ６は、載置台板１の底面に設けられるスライド部６０を引き出して固定し、当接部６１を載置台板１の縁部近傍の位置から離して使われる。これにより当接部６１がパソコン９の使用者７の体に当たり、相対的にパソコン９が所要の距離の位置に離れて設けられる。
【００７８】
スペーサ６によれば、パソコン９が使用者７の体から所要の距離の位置に離れて設けられ、キーボード等の操作が若干腕を伸ばしてでき、入力がし易くなる。
なお、スペーサ６は、引き出して固定した状態を解除して当接部６１をストッパー１１の近傍に位置させることができる。
【００７９】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【００８０】
【発明の効果】
本発明は上記構成を備え、次の効果を有する。
（ａ）本発明に係るポータブルコンピュータ携行台装置によれば、載置台板が上面にポータブルコンピュータが載置可能な板状体で形成してあるので、載置台板に載る範囲内で、載せるコンピュータの大きさが制限されない。従って、例えば、載置台板よりやや大きいものでも載せることができる。
【００８１】
（ｂ）ポータブルコンピュータは、板状体で形成してある載置台板の上面に載せて、側部が覆われない状態で固定されるので、例えば、計測器等のデータを取り込むケーブル等が固定してままで抜き挿し可能である。つまり、本発明に係るポータブルコンピュータ携行台装置は、ケーブル等の挿し抜きが簡単であり面倒がない。
【００８２】
（ｃ）ポータブルコンピュータの側部を覆うものがないので、キーボード等の操作時に手が当たるような箇所もなく、本発明に係るポータブルコンピュータ携行台装置に固定しても操作性は損なわれない。
【００８３】
（ｄ）固定手段の固定位置の調整ができるよう構成してあるものは、大きさが異なるものでも、キーボード等の位置が多少異なるものであっても固定することができる。
【００８４】
（ｅ）固定手段のキーボードへの接触を防止するスペーサを備えたものは、キーボードに影響を与えることなく、ポータブルコンピュータが本発明に係るポータブルコンピュータ携行台装置に固定できる。
【００８５】
（ｆ）ポータブルコンピュータから突出したケーブルの連結部を覆って保護する保護手段を備えるものは、保護手段によりケーブルの連結部が突起物とならないようにでき、これにより連結部の衝突の危険性が小さくなる。
【００８６】
（ｇ）ポータブルコンピュータが使用者の体から所要の距離の位置に離れて設けられるようにする手段を備えるものは、ポータブルコンピュータを使用者の体から所要の距離の位置に離れて設けることができる。これによりキーボード等の操作が若干腕を伸ばしてでき、入力が易くなる。
【図面の簡単な説明】
【図１】本発明に係るポータブルコンピュータ携行台装置の一実施の形態を表面側から見た状態を示す斜視説明図。
【図２】図１に示すポータブルコンピュータ携行台装置を裏面側から見た状態を示す要部斜視説明図。
【図３】ポータブルコンピュータ携行台装置にＡ４サイズのパソコンを取り付けた状態を示す斜視説明図。
【図４】ポータブルコンピュータ携行台装置にＢ５サイズのパソコンを取り付けた状態を示す斜視説明図。
【図５】ケーブルの連結部を保護する保護部材を示す拡大斜視説明図。
【図６】スペーサを載置台板より引き出した状態を示す使用状態平面視説明図。
【符号の説明】
Ｔ  ポータブルコンピュータ携行台装置
１  載置台板
１０  板状体
１００  ネジ孔
１０１  構成体
１１  ストッパー
１２  ストッパー
２  緊締具
２０  紐状体
２１  固定ネジ
２２  構成体
３  スペーサ
３０  段部
３００  貫通孔
４  ストラップ
４０  ベルト
４００  固定ネジ
４０１  ベルト体
４０２  ベルト体
４０３  連結具
４１  連結ベルト
５  保護部材
５０  嵌合部
５１  保護収容部
６  スペーサ
６０  スライド部
６１  当接部
７  使用者
９，９ａ  パソコン
９０，９０ａ  ディスプレイ
９１，９１ａ  キーボード
９２，９２ａ  ヒンジ部
９３，９３ａ  ＵＳＢポート
９４  ＵＳＢケーブル
９４０  連結部
【図１】
2004326267.tif 000003
【図２】
2004326267.tif 000004
【図３】
2004326267.tif 000005
【図４】
2004326267.tif 000006
【図５】
2004326267.tif 000007
【図６】
2004326267.tif 000008